(57)【特許請求の範囲】
【請求項１】
ケースと、
前記ケース内の収容空間に収容された電極組立体と、
前記電極組立体と電気的に接続された集電部材と、
前記ケースの壁に固定された接続端子と、
一端側に前記接続端子に接続された接続領域が形成される一方で他端側が前記集電部材に接続された導電部材とを有し、
前記集電部材、前記導電部材、及び前記接続端子が電気的に接続されることで通電経路が形成され、
さらに前記通電経路を遮断可能な電流遮断装置を前記ケース内に備えた蓄電装置であって、
前記電流遮断装置は、
前記ケースに固定され、かつ凹部と開口部とを有する支持体と、
前記開口部を覆うように前記支持体に固定されて前記凹部に隔離空間を形成し、かつ前記収容空間の圧力を受圧して変形可能な隔壁とを有し、  
前記隔壁には、前記支持体に対して、かつ前記隔壁の変形に伴って少なくとも前記隔離空間側に相対変位可能な変位領域が形成され、
前記導電部材には、前記変位領域と一体的に連動可能、かつ前記接続領域と分離可能な連動領域が形成され、
前記隔壁が前記収容空間の圧力を受圧して前記変位領域を前記隔離空間側に変位させるように変形され、かつ前記連動領域が前記変位領域の変位に連動して前記隔離空間側に変位され、かつ前記接続領域と前記連動領域とが分離されて前記通電経路を遮断し、
前記隔離空間は、前記隔壁より前記ケースの内側に配置されている、
蓄電装置。
【請求項２】
前記接続領域は、前記接続端子側の面である接続端子面と、前記接続端子面とは反対側、かつ前記隔壁側の面である接続隔壁面とを有し、
前記連動領域は、前記接続端子側の面である連動端子面と、前記連動端子面とは反対側、かつ前記隔壁側の面である連動隔壁面とを有し、
前記接続領域と前記連動領域との間には脆弱部が形成されている、請求項１の蓄電装置。
【請求項３】
前記導電部材は板状であり、
前記接続領域は、前記接続端子側の面である接続端子面と、前記接続端子面とは反対側、かつ前記隔壁側の面である接続隔壁面とを有し、
前記連動領域は、前記接続端子側の面である連動端子面と、前記連動端子面とは反対側、かつ前記隔壁側の面である連動隔壁面とを有し、
前記接続端子面と前記連動端子面とが同一平面上に形成され、かつ前記接続隔壁面と前記連動隔壁面とが同一平面上に形成され、かつ前記接続端子面と前記接続隔壁面とは平行するように形成され、
前記脆弱部は、前記接続隔壁面、及び前記連動隔壁面に形成された三角溝であり、
前記導電部材の前記接続端子面、及び前記接続隔壁面の双方に直交する仮想基準線を規定したとき、前記仮想基準線に対する前記連動領域側の前記三角溝の切り込み角であるθ１と、
前記仮想基準線に対する前記接続領域側の前記三角溝の切り込み角であるθ２は、
θ１≦θ２の関係を満たす、請求項２の蓄電装置。
【請求項４】
前記接続隔壁面、及び前記連動端子面の少なくとも一方に絶縁材料がコーティングされている、請求項２または請求項３の蓄電装置。
【請求項５】
前記蓄電装置は二次電池である、請求項１から３の何れか一項の蓄電装置。
【発明の詳細な説明】
【技術分野】
【０００１】
本明細書に開示の技術は、蓄電装置および車両に関する。
【背景技術】
【０００２】
蓄電装置は、充電によって電気を蓄え、蓄えた電気によって電動機器を駆動する。例えば、ハイブリッド自動車や電気自動車には、蓄電装置が搭載され、モータの駆動に利用されている。これらの蓄電装置には、通常、異常時に電流を遮断する電流遮断機構が組み込まれている。電流遮断機構は、蓄電装置の内圧が異常に上昇した場合などに、接続端子と電極組立体との間を流れる電流を遮断する。特許文献１には、蓄電装置の電流遮断機構が開示されている。この電流遮断機構は、蓄電装置内の空間と、蓄電装置外に連通する空間とを隔離するプレートを備えている。プレートには安全弁が設けられ、この安全弁は電流遮断機に固定されている。安全弁は、蓄電装置内の空間の圧力と蓄電装置外の空間の圧力との差が設定値以上になったときに作動する。安全弁が作動すると、安全弁に固定された電流遮断機が破断し、これによって、接続端子と電極組立体との通電が遮断される。
【先行技術文献】
【特許文献】
【０００３】
【特許文献１】特許第４４６４４８３号公報
【発明の概要】
【発明が解決しようとする課題】
【０００４】
蓄電装置では、接続端子と電極組立体との間の電流経路の電気抵抗を小さくし、その電気的損失を小さくすることが好ましい。上述した従来の蓄電装置では、電極組立体が正極リッドを介して電流遮断機に接続され、その電流遮断機がプレートの中央に接続され、プレートの周縁がキャップカバー（接続端子）に接続されている。したがって、キャップカバーと電極組立体の間を流れる電流は、電極組立体から正極リッドを介して電流遮断機に流れ、電流遮断機からプレートの中央に流れ、プレート内をその中央から周縁部に流れ、プレートの周縁部よりキャップカバーの先端の接続端子に流れることとなる。すなわち、電流遮断機のキャップカバー側にプレート（安全弁が設けられたプレート）が配されているため、電流経路がプレート及び蓄電装置外に連通する空間を回りこむように形成される。その結果、電流経路が長くなり、電気抵抗による電気的損失が大きい。
【０００５】
本明細書は上記課題を解決する技術を提供する。本明細書では、蓄電装置の電気的損失を小さくすることが可能な技術を提供する。
【課題を解決するための手段】
【０００６】
本明細書は、蓄電装置を開示する。その蓄電装置は、ケースと、前記ケース内の収容空間に収容された電極組立体と、前記電極組立体と電気的に接続された集電部材と、前記ケースの壁に固定された接続端子とを有している。また、その蓄電装置は、一端側に前記接続端子に接続された接続領域が形成される一方で他端側が前記集電部材に接続された導電部材を有している。その蓄電装置では、前記集電部材、前記導電部材、及び前記接続端子が電気的に接続されることで通電経路が形成されている。その蓄電装置は、さらに前記通電経路を遮断可能な電流遮断装置を前記ケース内に備えている。その蓄電装置では、前記電流遮断装置は、前記ケースに固定され、かつ凹部と開口部とを有する支持体と、前記開口部を覆うように前記支持体に固定されて前記凹部に隔離空間を形成し、かつ前記収容空間の圧力を受圧して変形可能な隔壁とを有している。その電流遮断装置では、前記隔壁には、前記支持体に対して、かつ前記隔壁の変形に伴って少なくとも前記隔離空間側に相対変位可能な変位領域が形成されている。前記導電部材には、前記変位領域と一体的に連動可能、かつ前記接続領域と分離可能な連動領域が形成されている。その電流遮断装置では、前記隔壁が前記収容空間の圧力を受圧して前記変位領域を前記隔離空間側に変位させるように変形され、かつ前記連動領域が前記変位領域の変位に連動して前記隔離空間側に変位され、かつ前記接続領域と前記連動領域とが分離されて前記通電経路を遮断する。その電流遮断装置では、前記隔離空間は、前記隔壁より前記ケースの内側に配置されている。
【発明の効果】
【０００７】
上記の蓄電装置では、隔壁よりケース内側に隔離空間が配置されている。このため、集電部材と接続端子とを接続する電流経路を、隔壁及び隔離空間を回りこむように配置する必要はない。その結果、集電部材と接続端子の間を短い電流経路で接続することができる。このため、蓄電装置の電気的損失を小さくすることができる。
【図面の簡単な説明】
【０００８】
【図１】第１実施例にかかる蓄電装置の通電遮断前の状態を示す部分断面図である。
【図２】第１実施例にかかる蓄電装置の通電遮断後の状態を示す部分断面図である。
【図３】導電部材６１の底面図（ケース内側方向から見た図）である。
【図４】導電部材６１の破断前の状態を示す断面図である。
【図５】導電部材６１の破断後の状態を示す断面図である。
【図６】第２の実施例にかかる蓄電装置の通電遮断前の状態を示す部分断面図である。
【発明を実施するための形態】
【０００９】
以下、本明細書で開示する実施例の技術的特徴の幾つかを記す。なお、以下に記す事項は、各々単独で技術的な有用性を有している。
【００１０】
（特徴１）
本明細書で開示する蓄電装置では、接続領域は、接続端子側の面である接続端子面と、接続端子面とは反対側、かつ隔壁側の面である接続隔壁面とを有し、連動領域は、接続端子側の面である連動端子面と、連動端子面とは反対側、かつ隔壁側の面である連動隔壁面とを有していてもよい。また、本明細書で開示する蓄電装置では、接続領域と連動領域との間には脆弱部が形成されていてもよい。
【００１１】
上記の蓄電装置では、接続領域と連動領域とは脆弱部で分離されるため、分離されやすい。また、通電経路が遮断されるときの圧力を安定させやすい。これにより、電流遮断装置の作動精度を高めることができる。
【００１２】
（特徴２）
上記の蓄電装置では、導電部材は板状であってもよい。また、接続領域は、前記接続端子側の面である接続端子面と、前記接続端子面とは反対側、かつ前記隔壁側の面である接続隔壁面とを有していてもよい。前記連動領域は、前記接続端子側の面である連動端子面と、前記連動端子面とは反対側、かつ前記隔壁側の面である連動隔壁面とを有していてもよい。前記接続端子面と前記連動端子面とが同一平面上に形成され、かつ前記接続隔壁面と前記連動隔壁面とが同一平面上に形成され、かつ前記接続端子面と前記接続隔壁面とは平行するように形成されていてもよい。上記の蓄電装置では、前記脆弱部は、前記接続隔壁面、及び前記連動隔壁面に形成された三角溝であってもよい。また、上記の蓄電装置では、前記導電部材の前記接続端子面、及び前記接続隔壁面の双方に直交する仮想基準線を規定したとき、前記仮想基準線に対する前記連動領域側の前記三角溝の切り込み角であるθ１と、前記仮想基準線に対する前記接続領域側の前記三角溝の切り込み角であるθ２は、θ１≦θ２の関係を満たしていてもよい。
【００１３】
上記の蓄電装置では、導電部材の破断後の各部材間の距離を大きくすることができる。このため、通電遮断後の集電部材と接続端子との再通電をより効果的に防止することができる。
【００１４】
（特徴３）
本明細書で開示する蓄電装置では, 接続隔壁面、及び連動端子面の少なくとも一方に絶縁材料がコーティングされていてもよい。
【００１５】
上記の蓄電装置では、接続隔壁面、及び連動端子面の少なくとも一方に絶縁材料がコーティングされているため、通電遮断後の再通電をより効果的に防止することができる。
【００１６】
（特徴４）
本明細書で開示する蓄電装置では, 前記蓄電装置は二次電池であってもよい。
【実施例１】
【００１７】
第１実施例の蓄電装置１は、例えばニッケル水素電池やリチウムイオン電池等の二次電池である。蓄電装置１は、ハイブリッド自動車や電気自動車等の車両に搭載されて、モータに電力を供給する。また、蓄電装置１は、モータが回生発電した電力によって充電される。
【００１８】
図１に示すように、蓄電装置１は、ケース２と、ケース２内に収容された電極組立体３と、集電部材４と、ケース２に固定された接続端子５１とを有する。また、蓄電装置１は、集電部材４と接続端子５１とを電気的に接続する導電部材６１を有する。集電部材４と、接続端子５１とが電気的に接続された状態で通電経路が形成される。また、蓄電装置１は、通電経路を遮断可能な電流遮断装置６を備えている。
【００１９】
ケース２は、金属製であり、略直方体形状である。ケース２の内部空間２２（請求項でいう収容空間の一例に相当）には、電極組立体３と電流遮断装置６が収容されている。ケース２の上端面には、接続端子５１が設置されている。具体的には、ケース２の上端面には貫通孔２ａが形成されている。接続端子５１の外周面には絶縁性の端子スリーブ５２が取付けられている。端子スリーブ５２によって、接続端子５１はケース２から絶縁されている。接続端子５１及び端子スリーブ５２は、貫通孔２ａを貫通している。このため、接続端子５１の上端はケース２の外部に位置し、接続端子５１の下端はケース２の内部に位置している。接続端子５１の下端には、オネジ部５１ａが形成されている。接続端子５１の下端は、導電部材６１を介して電極組立体３に接続されている。なお、接続端子５１の極性は正極又は負極のいずれであってもよい。接続端子５１が正極端子の場合、ケース２の図示しない位置に負極端子が設置される。また、接続端子５１が負極端子の場合、ケース２の図示しない位置に正極端子が設置される。  
【００２０】
電極組立体３は、正極シートと、負極シートと、正極シートと負極シートの間に介在しているセパレータを備えている。正極シートと負極シートは、集電体と、集電体上に形成されている活物質層を有する。正極シート又は負極シートには、集電部材４が固定されている。集電部材４は、導電部材６１を介して接続端子５１に接続されている。電極組立体３には、液状の電解質が含浸されている。電解質には、芳香族系のモノマー添加剤が含まれている。電極組立体３に過電圧が加わると、電解質に含まれるモノマー添加剤が重合し、水素ガスが発生する。これによって、ケース２の内部空間２２の圧力を上昇させる。
【００２１】
電流遮断装置６は、支持体として、支持ハウジング７２と、隔壁６２２とを備えている。支持ハウジング７２は、容器状の部材であり、凹部と開口部とを有する。また、絶縁性の材料によって形成されている。支持ハウジング７２の上端面７２ａは、ケース２の上端面の下面に固定されている。支持ハウジング７２の上端面７２ａには、凹部７２ｃと貫通孔７２ｄが形成されている。貫通孔７２ｄには、接続端子５１及び端子スリーブ５２が貫通している。凹部７２ｃには、端子スリーブ５２の外周面に取付けられた絶縁性のガスケット５３が収容されている。ガスケット５３によって、端子スリーブ５２と支持ハウジング７２の間がシールされている。
【００２２】
支持ハウジング７２の内部には、隔離部材６２３が配置されている。隔離部材６２３は、有底筒状の部材であり、金属によって形成されている。隔離部材６２３の底面は、支持ハウジング７２の下端面７２ｂに当接し、隔離部材６２３の側面は、支持ハウジング７２の側面７２ｅに当接している。隔離部材６２３の上端は、隔壁６２２によって開口部を覆うように密閉されている。隔離部材６２３の上端を隔壁６２２によって密閉されることで、支持ハウジング７２の凹部に隔離空間２６と連通空間２４が形成されている。隔離空間２６は、隔壁６２２によって連通空間２４から隔離されている。図より明らかなように、隔離空間２６は、隔壁６２２の下方（ケース２の内側）に配置されており、連通空間２４は、隔壁６２２の上方（ケース２の上端面側）に配置されている。支持ハウジング７２の側面７２ｅには、連通孔７２ｆが形成されている。連通孔７２ｆによって、支持ハウジング７２内の連通空間２４と、ケース２の内部空間２２とが連通している。
【００２３】
隔壁６２２は、可撓性を有する薄板状の部品である。隔壁６２２の材質は金属の他、樹脂でも良い。隔壁６２２の周辺部は、隔離部材６２３の上端に固定されている。隔壁６２２は、連通空間２４（収容空間）の圧力を受圧可能である。また、連通空間２４と隔離空間２６の圧力差に応じて隔壁６２２は変形可能である。このとき、隔壁６２２の変形に伴って、変位領域６２２ｃが隔離空間２６側に変位可能である。つまり、変位領域６２２ｃは、支持ハウジングに対して相対変位可能である。詳述すると、連通空間２４と隔離空間２６の圧力が略同一となるときは、図１に示すように、隔壁６２２の中央部が連通空間２４側に膨出した状態となる。一方、連通空間２４の圧力が隔離空間２６の圧力より大きくなると、図２に示すように、隔壁６２２の中央部が隔離空間２６側に膨出し、変位領域６２２ｃが隔離空間２６側に変位した状態（遮断状態）となる。
【００２４】
導電部材６１は、屈曲する板状の部材であり、導電性を有する金属によって形成されている。導電部材６１は、集電部材４から上方に伸びてから屈曲し、支持ハウジング７２の連通孔７２ｆを通って支持ハウジング７２内に達している。導電部材６１の一端である第１接続端６１１は、集電部材４に接続されている。導電部材６１の他端である第２接続端６１２は、接続端子５１に接続されている。すなわち、導電部材６１の第２接続端６１２にはメネジ部６１３ｋが形成されている。メネジ部６１３ｋには、接続端子５１のオネジ部５１ａが螺合して接合されている。したがって、電極組立体３と接続端子５１は、集電部材４及び導電部材６１によって接続されている。このため、電極組立体３と接続端子５１との間を流れる電流は、電極組立体３から集電部材４、導電部材６１、接続端子５１の順に流れる。
【００２５】
導電部材６１の第１接続端６１１側には、隔壁６２２の変位領域６２２ｃと接合され、かつ変位領域６２２ｃと一体的に連動可能な連動領域６１３ｂが形成される。また、導電部材６１の第２接続端６１２側には、接続端子５１に螺合される接続領域６１３ｃが形成される。図４に示すように、接続領域６１３ｃは、接続端子５１側の面である接続端子面６１３ｒと、接続端子面６１３ｒとは反対側、かつ隔壁６２２側の面である接続隔壁面６１３ｓとを有する。連動領域６１３ｂは、接続端子５１側の面である連動端子面６１３ｐと、連動端子面６１３ｐとは反対側、かつ隔壁６２２側の面である連動隔壁面６１３ｑとを有する。接続領域６１３ｃと連動領域６１３ｂとは連続して形成される。また、接続領域６１３ｃは連動領域６１３ｂと分離可能である。さらに、導電部材６１は、接続領域６１３ｃと連動領域６１３ｂの境界に脆弱部６１３ａを有している。図３に示すように、脆弱部６１３ａは、導電部材６１の下面に形成されており、第２接続端６１２を取囲むように形成されている。脆弱部６１３ａの外側の領域６１３ｍにおいて、導電部材６１は隔壁６２２に固定されている。本実施形態では、導電部材６１は板状であるため、接続端子面６１３ｒと連動端子面６１３ｐ、及び接続隔壁面６１３ｓ（三角溝６１３ｊ部を除く）と連動隔壁面６１３ｑ（三角溝６１３ｊ部を除く）とは夫々同一平面上に形成され、かつ夫々の端子面と、夫々の隔壁面は平行している。
【００２６】
図４に示すように、脆弱部６１３ａは、導電部材６１の下面に設けられた三角溝６１３ｊによって構成されている。三角溝６１３ｊの、第２接続端６１２側（接続端子５１側）の切り込み角（θ２）は、第１接続端６１１側（集電部材４側）の切り込み角（θ１）よりも大きな角度になっている。詳述すると、導電部材６１の、接続端子面６１３ｒと接続隔壁面６１３ｓの双方と直交する仮想基準線Ｌ１を規定した時、仮想基準線Ｌ１に対するθ１と、仮想基準線Ｌ１に対するθ２とが形成される。そして、θ１≦θ２の関係を満たす。また、三角溝６１３ｊの第２接続端６１２側の面６１３ｇには、絶縁材料９１がコーティングされている。また、導電部材６１の上面のうち、三角溝６１３ｊの第１接続端６１１側の面６１３ｎの上方となる一部の面６１３ｆにも、絶縁材料９１がコーティングされている。なお、本実施例において、面６１３ｇは接続隔壁面６１３ｓの一部であり、面６１３ｆは連動端子面６１３ｐの一部となっている。ここで、絶縁材料９１は、三角溝６１３ｊの有無には関わらず、接続隔壁面６１３ｓ、及び連動端子面６１３ｐの少なくとも一方にコーティングされていればよい。
【００２７】
上記の蓄電装置としての二次電池１において、通常時にはケース２の内部空間２２の圧力は、設定値未満である。しかし、二次電池の動作によりガスが発生して、ケース２の内部空間２２の圧力が上昇すると、それによって、支持ハウジング７２内の連通空間２４の圧力が上昇する。そして、連通空間２４の圧力と隔離空間２６の圧力との差が設定値を越える場合がある。この場合、図２に示すように、隔壁６２２が下方に膨出する状態に変形する。その結果、導電部材６１が脆弱部６１３ａで破断する。これにより、集電部材４と接続端子５１との間の電流経路が切断され、集電部材４と接続端子５１との間を電流が流れる状態（初期状態）から、電流が流れない状態（遮断状態）に切り替えられる。
【００２８】
また、導電部材６１が脆弱部６１３ａで破断すると、導電部材６１のうち第１接続端６１１側の部分（連動領域）６１３ｂは重力の作用する方向である下方向に移動する。連動領域６１３ｂが下方向に移動すると、図５に示すように、連動領域６１３ｂの上面の一部の面６１３ｆと、第２接続端６１２側の部分（接続領域）６１３ｃの面６１３ｇとは互いに対向する位置となる。前述のように、上面の一部の面６１３ｆと面６１３ｇには、それぞれ絶縁材料９１がコーティングされているため、連動領域６１３ｂと接続領域６１３ｃが再導通することが防止されている。
【００２９】
上述したことから明らかなように、本実施例の蓄電装置としての二次電池１では、連通空間２４が隔壁６２２のケース側（外側）に形成され、隔離空間２６が隔壁６２２の反ケース側（内側）に形成されている。このため、集電部材４と接続端子５１とを接続する電流経路（即ち、導電部材６１）を、隔離空間２６の下方から隔壁６２２及び隔離空間２６を回りこむように配置する必要はない。その結果、集電部材４と接続端子５１の間を短い電流経路で接続することができる。このため、蓄電装置１の電気的損失を小さくすることができる。
【００３０】
また、本実施例の二次電池１では、導電部材６１が隔壁６２２とは別の部材であり、導電部材６１に隔壁としての機能（圧力に応じた変形能）を備える必要はない。したがって、隔壁６２２の材質や厚みと切り離して導電部材６１を設計することができる。このため、導電部材６１は十分な導電性を備えるように設計することができ、結果として、蓄電装置１の電気的損失を小さくすることがきる。
【００３１】
また、本実施例の二次電池１では、導電部材６１が破断し電流が流れる状態から電流が流れない状態に切り替わる際、破断により変位する部材（即ち、導電部材６１の連動領域６１３ｂ）の変位方向は、重力の作用する向き（下方）となる。このため、連動領域６１３ｂが再び逆方向に変位することが妨げられる。これにより、集電部材４と接続端子５１との再通電を効果的に防止することができる。
【００３２】
また、本実施例の二次電池１では、導電部材６１が破断し電流が流れない状態になった際に互いに向き合う面である上面の一部の面６１３ｆと接続隔壁面６１３ｓに、それぞれ絶縁材料９１がコーティングされている。このような構成とすることによって、再通電をより効果的に防止することができる。
【００３３】
さらに、本実施例の二次電池１では、脆弱部６１３ａを形成している三角溝６１３ｊの、第２接続端側（接続端子側）の切り込み角（θ２）は、第１接続端側（集電部材側）の切り込み角（θ１）よりも大きな角度になっている。図５から明らかなように、切り込み角（θ２）を切り込み角（θ１）と同様に小さな角度とした場合よりも、破断後の連動領域６１３ｂと接続領域６１３ｃとの距離Ｄ１は大きくなる。このため、再通電を効果的に防止することができる。なお、切り込み角（θ１）を切り込み角（θ２）と同様に大きな角度としても、上記の距離Ｄ１は大きくすることができるが、この場合には導電部材６１の電気抵抗が大きくなる。したがって、切り込み角（θ２）を切り込み角（θ１）より大きくすることで、導電部材６１の再導通を防止しながら、電気抵抗が大きくなることを防止することができる。
【００３４】
なお、上述した実施例では、隔離空間２６と連通空間２４を隔離する隔壁６２２を電流が流れず、導電部材６１を電流が流れる構成としたが、本明細書に開示の技術は、このような例に限られない。例えば、図６に示すように、集電部材４を、導電部材６１５と隔壁６２２ｂと導電部材６１４を介して接続端子５１に接続するようにしてもよい。このような構成によっても、集電部材４と接続端子５１を接続する電流経路を、隔離空間２６を回り込むように配置する必要はない。
【００３５】
上記の実施例では、電流遮断装置６は、導電部材６１が破断することで通電経路を遮断したが、電流遮断装置は、その他の方法によって通電経路を遮断してもよい。例えば、隔離空間と連通空間の圧力差に応じて、接続端子側の導電部材と、集電部材側の導電部材とが接触状態から非接触状態に切り替わるような電流遮断装置であってもよい。
【００３６】
上記の実施例では、上面の一部の面６１３ｆと面６１３ｇに、それぞれ絶縁材料９１がコーティングされている場合について説明したが、絶縁材料９１は、これらの面のいずれか一方にのみコーティングされていてもよい。
【００３７】
上記の実施例では、脆弱部を、三角溝としたが、脆弱部の溝の形状は限定されない。例えば、円弧状や四角形状でもよい。また、溝ではなく、接続領域６１３ｃと連動領域６１３ｂとで材料を変更したり、板厚を変更するなどして、脆弱部としてもよい。要は、脆弱部とは、接続領域６１３ｃと連動領域６１３ｂとが分離しやすくするための構成である。
【００３８】
上記の実施例では、隔壁６２２の変位領域６２２ｃは、隔壁６２２の変形に伴い隔離空間側に移動するとしたが、例えば、隔壁６２２は、変形後に復元可能としてもよい。この場合は、変位領域６２２ｃも、隔壁６２２が変形する前の場所に戻るように変位する。  
【００３９】
上記の蓄電装置は、例えば車両に搭載することができる。この場合、蓄電装置は、車両を駆動するためのモータに電力を供給してもよい。
【００４０】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。また、本明細書または図面に説明した技術要素は、単独であるいは各種の組合せによって技術的有用性を発揮するものであり、出願時の請求項に記載の組合せに限定されるものではない。また、本明細書または図面に例示した技術は複数の目的を同時に達成し得るものであり、そのうちの一つの目的を達成すること自体で技術的有用性を持つものである。
【符号の説明】
【００４１】
１  蓄電装置
２  ケース
２２  収容空間
２４  連通空間
２６  隔離空間
３  電極組立体
５１  接続端子
６  電流遮断装置
６１  導電部材
６１３ａ  脆弱部
６１３ｂ  連動領域
６１３ｃ  接続領域
６１３ｊ  三角溝
６１３ｐ  連動端子面
６１３ｑ  連動隔壁面
６１３ｒ  接続端子面
６１３ｓ  接続隔壁面
６１４  導電部材（接続端子と隔壁の間）
６１５  導電部材（集電部材と隔壁の間）
６２２  隔壁
６２２ｂ  導電体の隔壁
６２２ｃ  変位領域
７２  支持ハウジング
９１  絶縁材料
Ｄ１  部材間距離     
Ｌ１  仮想基準線
【図１】
0005747859.tif 000002
【図２】
0005747859.tif 000003
【図３】
0005747859.tif 000004
【図４】
0005747859.tif 000005
【図５】
0005747859.tif 000006
【図６】
0005747859.tif 000007